(57)【要約】【課題】  ガイドワイヤ全てが体内に入り込んでしまうのを確実に防止することができるガイドワイヤ及びカテーテル挿入用キットを提供する。【解決手段】  カテーテル挿入用ガイドワイヤ及びカテーテル挿入用キットであって、脈管内へのガイドワイヤの入り込みを防止し得る変形部を具備する。【選択図】      なし【特許請求の範囲】
【請求項１】
カテーテル挿入用ガイドワイヤであって、脈管内への該ガイドワイヤの入り込みを防止し得る変形部を具備することを特徴とするガイドワイヤ。
【請求項２】
カテーテル挿入用ガイドワイヤであって、中空針の先端部を脈管内に穿刺して該ガイドワイヤを該中空針の後端部から該中空針の管通孔を介して前記脈管内に挿入する際に該ガイドワイヤの該中空針の通り抜けを防止し得る変形部を具備することを特徴とするガイドワイヤ。
【請求項３】
請求項１又は２において、前記変形部が前記ガイドワイヤを所定量折り曲げるか又は所定量湾曲させることで形成されたものであることを特徴とするガイドワイヤ。
【請求項４】
請求項１〜３の何れかにおいて、前記ガイドワイヤの軸線が前記変形部の前後で同一線上にあることを特徴とするガイドワイヤ。
【請求項５】
請求項１〜４の何れかにおいて、前記脈管内にＩＶＨカテーテルを挿入するのに用いられるものであることを特徴とするガイドワイヤ。
【請求項６】
請求項１〜５の何れかの所定長さのガイドワイヤと、所定長さのカテーテルとを少なくとも組み合わせたものであることを特徴とするカテーテル挿入用キット。
【発明の詳細な説明】
【技術分野】
【０００１】
本発明は、体液輸送のための血管等の脈管内にカテーテルを挿入するのに用いられるガイドワイヤ及びカテーテル挿入用キットに関し、特に、ＩＶＨ（intravenous  hyperalimentation）カテーテルを挿入するのに適しているガイドワイヤ及びカテーテル挿入用キットに関する。
【背景技術】
【０００２】
従来から、脈管内にカテーテルを挿入し、このカテーテルを介して体内に薬液等を注入するという医学的な手法が知られている。このようなカテーテルの挿入方法としては、例えば、セルディンガー（Seldinger）法等が挙げられる。このセルディンガー法とは、脈管内に中空針を穿刺し、この中空針を介して脈管内にガイドワイヤを挿入した後に、ガイドワイヤをそのまま残して中空針を抜き取り、残したガイドワイヤに沿ってカテーテルを脈管内に挿入する手法である（例えば、特許文献１参照）。このセルディンガー法は、所望の場所に安全にカテーテルを挿入することができるため、体内の血管の走行を調べたり、狭くなった血管を広げたりする手技に応用されている。
【０００３】
しかしながら、このようなセルディンガー法においては、例えば、中空針を介してガイドワイヤを脈管内に挿入した後に、ガイドワイヤから手をうっかり離してしまうと、ガイドワイヤが自重及び血流等の影響を受けて体内に引き込まれ、これに気付かないと、ガイドワイヤが中空針をすり抜けて、最終的には、ガイドワイヤ全てが体内に入ってしまうという問題がある。このようにガイドワイヤ全てが体内に入ってしまうと、体内からガイドワイヤを取り除くのは極めて困難であるため、深刻な医療事故となってしまう。このような問題は、例えば、ＩＶＨカテーテル等の挿入に使用する比較的短いガイドワイヤを挿入する場合において、特に発生し易い。
【０００４】
【特許文献１】特開２００２−２９１９０２号公報（第１図）
【発明の開示】
【発明が解決しようとする課題】
【０００５】
本発明は、このような事情に鑑み、ガイドワイヤ全てが体内に入り込んでしまうのを確実に防止することができるガイドワイヤ及びカテーテル挿入用キットを提供することを目的とする。
【課題を解決するための手段】
【０００６】
上記目的を達成する本発明の第１の態様は、カテーテル挿入用ガイドワイヤであって、脈管内への該ガイドワイヤの入り込みを防止し得る変形部を具備することを特徴とするガイドワイヤにある。
【０００７】
かかる第１の態様では、ガイドワイヤからうっかり手を離し、ガイドワイヤが自重及び血流等の影響を受けて体内に引き込まれたとしても、変形部が抵抗となるため、ガイドワイヤ全てが体内に入ってしまうことを確実に防止することができる。
【０００８】
本発明の第２の態様は、カテーテル挿入用ガイドワイヤであって、中空針の先端部を脈管内に穿刺して該ガイドワイヤを該中空針の後端部から該中空針の管通孔を介して前記脈管内に挿入する際に該ガイドワイヤの該中空針の通り抜けを防止し得る変形部を具備することを特徴とするガイドワイヤにある。
【０００９】
かかる第２の態様では、ガイドワイヤからうっかり手を離し、ガイドワイヤが自重及び血流等の影響を受けて体内に引き込まれたとしても、変形部が抵抗となるため、ガイドワイヤ全てが自重等で中空針をすり抜けて脈管内に入り込んでしまうのを確実に防止することができる。
【００１０】
本発明の第３の態様は、第１又は２の態様において、前記変形部が前記ガイドワイヤを所定量折り曲げるか又は所定量湾曲させることで形成されたものであることを特徴とするガイドワイヤにある。
【００１１】
かかる第３の態様では、ガイドワイヤを所定量折り曲げるか又は所定量湾曲させて形成した変形部を具備するものをカテーテル挿入用ガイドワイヤとすることで、ガイドワイヤ全てが体内に入ってしまうことを確実に防止することができる。
【００１２】
本発明の第４の態様は、第１〜３の何れかの態様において、前記ガイドワイヤの軸線が前記変形部の前後で同一線上にあることを特徴とするガイドワイヤにある。
【００１３】
かかる第４の態様では、変形部の前後でガイドワイヤの軸線が同一線上となっているため、ガイドワイヤに変形部が設けられていても、カテーテルの挿入作業が容易となる。
【００１４】
本発明の第５の態様は、第１〜４の何れかの態様において、前記脈管内にＩＶＨカテーテルを挿入するのに用いられるものであることを特徴とするガイドワイヤにある。
【００１５】
かかる第５の態様では、全長が比較的短いＩＶＨカテーテルを挿入するのに用いられるガイドワイヤの挿入作業においても、ガイドワイヤ全てが自重等で中空針をすり抜けて脈管内に入り込んでしまうのを確実に防止することができる。
【００１６】
本発明の第６の態様は、第１〜５の何れかの態様の所定長さのガイドワイヤと、所定長さのカテーテルとを少なくとも組み合わせたものであることを特徴とするカテーテル挿入用キットにある。
【００１７】
かかる第６の態様では、変形部を具備する所定長さのガイドワイヤに該ガイドワイヤの長さに整合する長さのカテーテルを組み合わせてカテーテル挿入用キットとすることで、医師がカテーテルの長さに整合するガイドワイヤを選択する手間を省略できる。これにより、医師がカテーテル挿入作業を効率的に且つ簡便に行うことができる。
【発明の効果】
【００１８】
本発明では、ガイドワイヤに脈管内への入り込みを防止し得る変形部を設けることにより、中空針を介してガイドワイヤを脈管に挿入した後に、ガイドワイヤからうっかり手を離し、ガイドワイヤが自重及び血流等の影響を受けて体内に引き込まれたとしても、変形部が抵抗となるため、ガイドワイヤ全てが体内に入ってしまうことを確実に防止することができるという効果を奏する。
【発明を実施するための最良の形態】
【００１９】
以下、本発明を実施形態に基づいて詳細に説明する。
【００２０】
（実施形態１）
図１は、本発明の実施形態１に係るガイドワイヤの概略を示す平面図である。図２及び図３は、本発明の実施形態１に係る他のガイドワイヤの概略を示す平面図である。図１に示す本実施形態のガイドワイヤ１０は、例えば、セルディンガー法によって人体の脈管内にカテーテル（図示なし）を挿入する際に用いられるものであり、ガイドワイヤ１０を１箇所折り曲げることで設けられた１つの屈曲部２１により構成された、ガイドワイヤ１０全体の脈管への入り込みを防止し得る変形部２０を具備する。
【００２１】
ここで、ガイドワイヤ１０の変形部２０を設ける位置としては、ガイドワイヤ１０の挿入作業に支障がない部分、具体的には、体内に挿入されない部分が挙げられ、例えば、本実施形態では、図１に示すように、脈管内に挿入される先端部１１とは反対の後端部１２側で、且つ所望の長さの端部を残した部分に設けた。すなわち、ガイドワイヤ１０の後端部１２に所望の長さの端部を残す部分を所定量折り曲げることで、１つの屈曲部２１を形成し、これを変形部２０とした。勿論、ガイドワイヤ１０に変形部２０を設ける位置はこれに限定されるものではなく、例えば、ガイドワイヤに対してカテーテルを挿入する作業を考慮すると、ガイドワイヤの略中央部に設けるのが好ましい。
【００２２】
また、本発明においては、図２に示すように、変形部２０Ａがガイドワイヤ１０Ａを３箇所折り曲げることで形成された３つの屈曲部２１Ａにより構成されていてもよい。この場合には、変形部２０Ａの前後でガイドワイヤ１０Ａの軸線が同一線上となっているのが好ましい。これにより、ガイドワイヤ１０Ａに変形部２０Ａが設けられていても、ガイドワイヤ１０Ａへのカテーテル（図示なし）の挿入作業を比較的容易に行うことができる。
【００２３】
このように、ガイドワイヤ１０、１０Ａを折り曲げることで変形部２０、２０Ａを形成するようにしてもよいが、本発明においては、ガイドワイヤを弧状に曲げるようにしてもよい。具体的には、図３に示すように、ガイドワイヤ１０Ｂを波状に所定量湾曲させて２つの湾曲部２１Ｂを形成し、これを変形部２０Ｂとしてもよい。勿論、図示しないが、１つの湾曲部からなる変形部を具備するガイドワイヤとしてもよい。
【００２４】
なお、本実施形態のガイドワイヤ１０は、脈管内に挿入される側の少なくとも先端部１１が、その他の部分と比べて、柔らかい材質で形成されている。これは、脈管内へのガイドワイヤ１０の挿入の際に、ガイドワイヤ１０の先端部１１を弾性変形させて、ガイドワイヤ１０を脈管の軸方向に沿って押し進めるためである。また、ガイドワイヤ１０の先端部１１で脈管を傷つけたり、脈管を貫いたりしてしまうのを防止するためでもある。
【００２５】
ここで、図４〜図６を参照して、上述した本実施形態のガイドワイヤ１０を用いて、セルディンガー法により、脈管１にカテーテル３０を挿入する作業手順について説明する。図４及び図５は、カテーテル挿入作業の手順を示す概略図である。また、図６は、ガイドワイヤから手を離した後の状態を示す概略図である。
【００２６】
図４（ａ）に示すように、まず、貫通孔を有する中空針４０の先端部４１ａを脈管１内に穿刺する。次に、図４（ｂ）に示すように、後端部１２側に変形部２０が設けられたガイドワイヤ１０の先端部１１を、脈管１に穿刺した中空針４０の後端部４１ｂから貫通孔に挿入し、そのガイドワイヤ１０を中空針４０の貫通孔を介して脈管１内に押し込む。このとき、ガイドワイヤ１０は、先端部１１が比較的柔らかい材質で形成されているため、その先端部１１が脈管１の内面に当接した際に弾性変形し、そのまま押し込まれることで、脈管１の軸方向に沿って挿入される。次いで、図４（ｃ）に示すように、ガイドワイヤ１０を脈管１内の所望の位置まで挿入し、ガイドワイヤ１０をその状態のまま把持し、中空針４０だけを抜き取る。次に、脈管１内に挿入されたガイドワイヤ１０の後端部１２からカテーテル３０を挿入し、図５（ａ）に示すように、ガイドワイヤ１０に沿って脈管１内にカテーテル３０を挿入し、カテーテル３０を押し進める。その後、カテーテル３０を脈管１内の所望の位置まで挿入し、カテーテル３０をその状態のまま把持し、図５（ｂ）に示すように、ガイドワイヤ１０だけを抜き取る。これにより、カテーテル３０の挿入作業が完了する。
【００２７】
ここで、本実施形態では、ガイドワイヤ１０に脈管１内への入り込みを防止し得る変形部２０を設けているので、例えば、中空針４０を介してガイドワイヤ１０を脈管１に挿入した後に、ガイドワイヤ１０から手をうっかり離し、ガイドワイヤ１０が自重及び血流等の影響を受けて体内に引き込まれた場合でも、図６に示すように、ガイドワイヤ１０が中空針４０の後端部４１ｂに当接するようになっている。すなわち、ガイドワイヤ１０の変形部２０又は後端部１２が、ガイドワイヤ１０の体内への引き込みに対する抵抗となるため、ガイドワイヤ１０が中空針４０をすり抜けて、ガイドワイヤ１０全てが体内に入ることを確実に防止することができる。
【００２８】
特に、本発明は、全長が短いガイドワイヤ、例えば、ＩＶＨカテーテル等を挿入するのに用いられるガイドワイヤに適用すればより効果的である。すなわち、ＩＶＨカテーテルを挿入する際、ガイドワイヤの全長が比較的短いため、ガイドワイヤから手を離すと、ガイドワイヤ全てが直ぐに中空針をすり抜けて脈管内に入り込んでしまうが、このような場合でも、変形部が設けられたガイドワイヤを用いることで、ガイドワイヤ全てが体内に入ることを確実に防止することができる。
【００２９】
また、本発明では、上述したような変形部を具備する所定長さのガイドワイヤと、このガイドワイヤの長さに整合する長さのカテーテルと、必要に応じて、これらに中空針を組み合わせて、カテーテル挿入用キットとすることで、医師がカテーテルの長さに整合するガイドワイヤを選択する手間を省略することができる。これにより、医師がカテーテル挿入作業を効率的に且つ簡便に行うことができる。
【図面の簡単な説明】
【００３０】
【図１】本発明の実施形態１に係るガイドワイヤの概略を示す平面図である。
【図２】本発明の実施形態１に係る他のガイドワイヤの概略を示す平面図である。
【図３】本発明の実施形態１に係る他のガイドワイヤの概略を示す平面図である。
【図４】本発明の実施形態１に係るカテーテル挿入作業の手順を示す概略図である。
【図５】本発明の実施形態１に係るカテーテル挿入作業の手順を示す概略図である。
【図６】本発明の実施形態１に係るガイドワイヤから手を離した後の状態を示す概略図である。
【符号の説明】
【００３１】
１  脈管
１０  ガイドワイヤ
２０  変形部
３０  カテーテル
４０  中空針
【図１】
2005348985.tif 000002
【図２】
2005348985.tif 000003
【図３】
2005348985.tif 000004
【図４】
2005348985.tif 000005
【図５】
2005348985.tif 000006
【図６】
2005348985.tif 000007